(57)【要約】【課題】  収納ケースを取り外すことなく、収納ケース内の野菜くずやゴミを廃棄することができる収納ケースを備えた冷蔵庫を提供する。【解決手段】  引出扉４に着脱可能に取り付けられる収容ケース５０の底面部５２の前部に開口部５３を形成し、この開口部５３に凹状の収納トレー部７１を備えたキャップ部７０を着脱可能に取り付け、開口部５３の開口の端部はキャップ部７０の周囲の肉厚を吸収する凹状の凹み部５４を備え、キャップ部７０の上面前部には手掛け部７２が設けられ、この手掛け部７２と対向するキャップ部７０の後端部は、前記凹み部５４に嵌合する嵌合部７３を備えるようにする。【選択図】  図１
2011185463.tif 000002
【特許請求の範囲】
【請求項１】
引出機構部を介して出し入れ可能に設けた引出扉を備えた冷蔵庫において、
前記引出機構部を介して前記引出扉に着脱可能に取り付けられる収容ケースの底面部の前部に開口部を形成し、
この開口部に凹状の収納トレー部を備えたキャップ部を着脱可能に取り付けた
ことを特徴とする冷蔵庫。
【請求項２】
前記請求項１記載の冷蔵庫において、
前記開口部の開口の端部は、前記キャップ部の周囲の肉厚を吸収する凹状の凹み部を備え、
前記キャップ部の上面前部にはトレー部に張り出して形成される手掛け部が設けられ、この手掛け部と対向するキャップの後端部は、前記凹み部に嵌合する嵌合を備えるようにする
ことを特徴とする冷蔵庫。
【請求項３】
引出機構部を介して出し入れ可能に設けた引出扉を備えた冷蔵庫において、
前記引出機構部を介して前記引出扉に着脱可能に取り付けられる収容ケースの底面部の前部に開口部を備えた凹部を形成し、
この凹部に収まる大きさを備えたキャップ部を着脱可能に取り付け、
前記凹部は、前記キャップ部の周囲の肉厚を吸収する段差形状で形成され、
前記キャップ部は、前記開口部に対応した位置に凹状の収納トレー部を備えるとともに、その上面前部にはトレー部に張り出して形成される手掛け部が設けられ、この手掛け部と対向するキャップの後端部は、前記開口部の端部に嵌合する嵌合を備えている
ことを特徴とする冷蔵庫。
【請求項４】
前記請求項３記載の冷蔵庫において、
前記凹部は、橋部を介して左右に分離して形成される一対の前記開口部を備え、
前記キャップ部は前記一対の前記開口部にそれぞれ着脱可能に取り付けられている
ことを特徴とする冷蔵庫。
【発明の詳細な説明】
【技術分野】
【０００１】
本発明は、引出扉を備えた冷蔵庫に係り、特に、引出扉に取り付けられる収納ケースの性能性に優れた冷蔵庫に関するものである。
【背景技術】
【０００２】
現在主流となっている冷蔵庫は、断熱材を備えた本体筺体の前面に開放部を形成し、この開放部を仕切り板で複数の分割し、この複数に分割される貯蔵空間の前面の開放部を開閉扉や引出扉で形成することで、温度帯の異なる複数の貯蔵室を備えた構造としている。
【０００３】
特に、引出扉においては、この引出扉を出し入れする引出機構部に上方が開放した収納ケースを取り付けることで、食品の出し入れを簡単に行うことができる構造としている。また、この収納ケースは、枠状の引出機構部に上方から挿入する構造を採用しているため、引出扉を引き出すことで、収納ケースを枠状の引出機構部から取り外すことができるので、清掃性を向上させている。
【先行技術文献】
【特許文献】
【０００４】
【特許文献１】特開平10-68581号
【特許文献２】特開平5-322440号
【発明の概要】
【発明が解決しようとする課題】
【０００５】
前記従来例によれば、冷蔵庫の本体筺体から収納ケースを着脱することができるので、収納ケースを取り外して単独で洗浄したり清掃することができる。しかし、この従来例では、１つの冷蔵室や野菜室を構成する大型の収納ケース全体を着脱する構造であるため、着脱する際には、収納した食品を全て外に出して、大きな収納ケースを傾けたりして着脱しなければならない。特に、引出扉の場合は、引出機構部の引出量をあまり大きくできないことから、収納ケースの着脱はぎりぎりの隙間を利用して設定しているために、簡単に着脱できない課題がある。しかも、取り外す収納ケースは大きいために、着脱に際しての取り扱い性が悪く、また、取り外しても大きな収納ケースを洗浄する流し台がないという課題もある。
【０００６】
一方、収納ケースが簡単に取り外せないために、収納ケース内の野菜くずやごみを簡易的に捨てたいという要望もある。しかし、野菜室内などの収納ケースは底が深く形成されているために、底にたまったゴミを集めて捨てる際の作業性が悪いという課題もある。特に、野菜室の収納ケースの場合は、収納ケースの前面下部にペットボトル類を収納する凹部を形成しているのが一般的であるため、この凹部にゴミがたまりやすいという課題もある。
【０００７】
そこで、この発明に目的は、収納ケースを取り外すことなく、収納ケース内の野菜くずやゴミを廃棄することができる収納ケースを備えた冷蔵庫を提供することにある。
【課題を解決するための手段】
【０００８】
前記目的を達成するために、この発明に係る冷蔵庫においては、引出扉に着脱可能に取り付けられる収容ケースの底面部の前部に開口部を形成し、この開口部に凹状の収納トレー部を備えたキャップ部を着脱可能に取り付けるようにする。前記開口部の開口の端部はキャップ部の周囲の肉厚を吸収する凹状の凹み部を備え、前記キャップ部の上面前部には手掛け部が設けられ、この手掛け部と対向するキャップ部の後端部は、前記凹み部に嵌合する嵌合部を備えるようにする。
【発明の効果】
【０００９】
この発明によれば、収納ケースの最下部を構成するペットボトル類などを収納する凹状のトレー部を、着脱可能なキャップ部に設けたので、このキャップ部に収納ケース内のゴミや水滴などを集めて、この集めたゴミや水滴などをキャップ部を取り外して捨てることができるので、収納ケースを取り外すことなく、収納ケース内の野菜くずやゴミあるいは水分などを廃棄することができる。
【図面の簡単な説明】
【００１０】
【図１】本発明に係る第1実施例の概略構成図である。
【図２】本発明に係る第1実施例の収納ケースの外観図である。
【図３】本発明に係る第1実施例の使用状態を示す説明図である。
【図４】本発明に係る第1実施例の使用状態を示す説明図である。
【図５】本発明に係る第２実施例の収納ケースの外観図である。
【図６】本発明に係る第３実施例の収納ケースの側面図である。
【図７】本発明に係る第３実施例の収納ケースの側面図である。
【発明を実施するための形態】
【００１１】
以下、本発明に係る冷蔵庫の実施例を図１から図６を参照して具体的に説明する。ここで、図１から図４が第１実施例に係る冷蔵庫を示し、図５が第２実施例に係る冷蔵庫を示し、図６が第３実施例に係る冷蔵庫を示し、図７が第４実施例に係る冷蔵庫を示している。
（第１実施例）
先ず、図１を参照して、第１実施例に係る冷蔵庫１の概略構造を説明する。ここで、図１は、引出扉４を開いて、収納ケース５０を取り外した状態の部分外観図である。この実施例に係る冷蔵庫１は、断熱材を内蔵した冷蔵庫筺体２の前面の開放部３を覆うように開閉扉５や引出扉４を取り付けている。この冷蔵庫１は、冷蔵庫筺体２の前面部を図示しない仕切り板で複数に分割し、その分割された複数の収納部６を開閉扉５または引出扉４で覆う構造を採用している。この実施例では、引出扉４を前後方向に移動させる枠状の引出機構部７に取り付けられる収納ケース５０に適用することができる。
【００１２】
この実施例に係る収納ケース５０は、上方が開放した容器であって、周囲の縁部５１が外側に張り出しており、この縁部５１を枠状の引出機構部７に上方から挿入して引っかけて取り付けることにより、引出扉４を前後方向に移動させることにより、収納ケース５０の上方から食品の出し入れを行うことができる。この実施例では、野菜室の引出扉４に適用された事例を示している。そして、収納ケース５０の底面部５２の前部には、他の収納ケースの底面部５２より低い凹状のトレー部７１を備えており、このトレー部７１にペットボトル類などの高さのある食品を立て姿勢で収納できる構造を備えている。
【００１３】
そして、この実施例に係る冷蔵庫１の大きな特徴の１つは、引出扉４に着脱可能に取り付けられる収容ケース５０の底面部５２の前部に開口部５３を形成し、この開口部５３に凹状の収納トレー部７１を備えたキャップ部７０を着脱可能に取り付けた点である。
【００１４】
即ち、従来の冷蔵庫における収納ケース５０は、引出扉４を最大に引き出した状態で、枠状の引出機構部７から上方に引き上げて着脱可能に形成されている。従来例では、この構造を採用することにより、収納ケース５０の清掃性を向上させている。しかし、例えば、野菜室の収納ケース５０では、高さが３００ｍｍ以上あり、また、横幅は６００ｍｍ、奥行きは４００ｍｍ程度の大きさを備えているため、この大きな収納ケース５０を着脱するには、大きな労力が必要である。
【００１５】
特に、引出扉４の引出機構部７は、引き出した際の過重負荷を考慮すると収納ケース５０全体を大きく引き出すことが困難なため、おのずと、引出量に制限がある。このため、収納ケース５０を着脱する際の隙間が小さいため、大きな収納ケース５０を簡単に取り外すことができない。しかも、大きな収納ケース５０を取り外しても、これを洗う流し台の確保にも課題がある。そこで、頻繁に収納ケース５０内を清掃し難いという課題がある。
【００１６】
そこで、この実施例では、野菜室の収納ケース５０が、ペットボトル類などを収納する凹状のトレー部７１を備えている点に着目し、このトレー部７１を着脱可能に取り付ける構造とした。ペットボトル類などを収納する凹状のトレー部７１は、野菜室の収納ケース５０の最下部を構成するため、このトレー部７１に収納ケース５０内のゴミや水分を集め、この集めたゴミを収めたトレー部７１を収納ケース５０から単独で取り外して、そのゴミなどを簡単に廃棄し、またこの小さなトレー部７１を簡単に洗浄することができる。
【００１７】
この実施例に係るトレー部７１は、収納ケース５０の底面部５２の前部に形成される開口部５３を塞ぐキャップ部７０に設けられており、このキャップ部７０を着脱することで、前記作業を実行することができる。また、前記開口部５３の開口の端部はキャップ部の周囲の肉厚を吸収する凹状の凹み部５４を備えているので、キャップ部７０の周囲を収納ケース５０の底面部５２と面一にすることができるので、刷毛や布巾などを介してのゴミの収集が容易となる。
【００１８】
また、収納ケース５０は、開口部５３を形成すると強度的な面で課題があるが、前記開口部５３の開口の端部に凹み部５４を形成することで、強度を増すことができる。しかも、通常のペットボトル類を収納する凹状のトレー部７１を備えた収納ケース５０では、トレー部近傍の下面部に強度を増すための図示しないリブを形成しているために、このリブとの併用で強度的な課題を解決することができる。しかも、収納ケース５０に開口部５３を形成することで、この収納ケース５０を濡れタオルで洗浄して、この洗浄の際にでるゴミを開口部５３から掃き出すことができる。
【００１９】
また、この実施例に係る冷蔵庫の大きな特徴の他の１つは、前記キャップ部７０の上面前部には手掛け部７２を設け、この手掛け部７２と対向するキャップ部７０の後端部を前記凹み部５４に嵌合する嵌合部７３を備えるようにした点である。
【００２０】
即ち、この実施例の構造によれば、嵌合部７３を回転中心として、手掛け部７２を上方に引き上げることで、キャップ部７０を簡単に取り外すことができ、また、装着する場合には、嵌合部７３の嵌め合いを確認して、手掛け部７２を下方に押し込むことで、キャップ部７０を開口部５３に装着することができる。
【００２１】
一般に、樹脂成型の収納ケース５０の場合、この収納ケース５０の底面に応力が加わると、周囲の壁面に近い底面部５２は歪みが少ないもの、中央部分は歪みが大きくなる。この実施例では、歪みの大きい中央側を凹み部５４と嵌合部７３との確りした連結とし、歪みが少ない壁面側に手掛け部７２を備えた樹脂の弾性による嵌め合いとすることにより、強度を維持しつつ着脱を容易に行うことができる。特に、ペットボトル類を収納するトレー部７１は、重量のあるペットボトル類を収納するため、収納時のペットボトル類の過重や衝撃は大きくなる課題があるが、この実施例の構造によれば、この課題を軽減することができる。
【００２２】
以下、図２から図４を参照して、この実施例に係る冷蔵庫の収納ケースをさらに説明する。ここで、図２の（ａ）図は平面図、（ｂ）図が右側面図、（ｃ）図が正面図、（ｄ）図が底面図、（ｅ）図が縦断面図、（ｆ）図が横断面図、（ｇ）図が（ｅ）図の部分拡大図、（ｈ）図が（ｆ）図の部分拡大図、（ｊ）図が（ｆ）図の他の応用例を示す部分拡大図を示している。なお、左側面図は（ｂ）図と対称であり、背面図は、他の図から明らかなため省略している。
【００２３】
図において、収納ケース５０は、樹脂の成型品であり、上方が開放し、その上端部に縁部５１を形成することで強固に形成している。また、この縁部５１は、引出機構部７に取り付けるための保持具としての機能を果たしている。
【００２４】
そして、この実施例に係る収納ケース５０では、底面部５２の手前側の片側に開口部５３を形成し、この開口部５３にキャップ部７０を着脱可能に取り付けている。この実施例では、開口部５３が形成される底面部５２の周囲を傾斜面５５を介して隆起させ、開口部５３の周囲の端部は、一段低い凹み部５４が形成されている。
【００２５】
一方、この開口部５３に取り付けられるキャップ部７０は、周囲に縁部７４を残してその内側が凹状のトレー部７１が形成されている。縁部７４は、その周囲がつば状に張り出して形成される。そして、（ｇ）（ｈ）（ｊ）図に示すように、凹み部５４の段差は、この縁部７４の肉厚とほぼ同じに形成されている。これにより、収納ケース５０の底面部５２と縁部７４が傾斜面５５を介して連続した平面部として形成される。
【００２６】
この構造によれば、開口部５３が形成される底面部５２の周囲を傾斜面５５を介して隆起させることにより、底面部５２の周囲を強化することができる。また、収納ケース５０の底面部５２と縁部７４とを連続した平面部で形成することにより、底面部５２に散乱するごみや水滴などを刷毛や布巾などを介してトレー部７１に集め易くすることができる。
【００２７】
また、この実施例では、（ａ）（ｇ）図に示すよう収納ケース５０の内壁面側の縁部７４に手掛け部７２を設け、この手掛け部７２と対向する縁部７４の端部に嵌合部７３を形成している。ここで、手掛け部７２は、左右に中央に、トレー部７１側に張り出して形成している。また、嵌合部７３は凹み部５４の端部を上下で挟み込む溝状に形成している。
【００２８】
また、凹み部５４と縁部７４の接触面は、（ｈ）図に示すように、互いにフラットな面で形成することでもよいが、（ｊ）図に示すように、開口部５３を囲むパッキン７５や同様な凸リブを形成することで、収納ケース５０に水などをこぼしても収納部６に漏れるのを軽減することができる。
【００２９】
次に、図３と図４を参照して、この収納ケース５０の使い勝手を説明する。
【００３０】
先ず、図３の（ａ）図は、ボトル類を収納した状態の収納ケース５０の平面図を示し、（ｂ）図と（ｃ）図は収納されるボトル類の側面図と上面図を示している。
【００３１】
この実施例によれば、極一般的な冷蔵庫の野菜室で採用されている収納ケースのように、ボトル類を立てて収納することができる。この実施例では２Ｌのペットボトルを左右に並べて２本収納する実施例を示している。この実施例では、２Ｌのペットボトルをトレー部７１に収納しても、トレー部７１側に張り出した手掛け部７２が収納性に支障をきたすことが軽減される。
【００３２】
次に、図２（ｇ）図と図３を参照して、キャップ部７０の着脱方法を説明する。
【００３３】
図２（ｇ）図において、この実施例のキャップ部７０は、手掛け部７２側の端部が開口部５３の端部と樹脂の弾性を利用して連結され、手掛け部７２側と対向する端部側は、凹み部５４と嵌合部７３との嵌合で確り連結される。このため、このトレー部７１に重量のあるボトル類を収納しても、収納の際の衝撃で、キャップ部７０が外れない構造となっている。
【００３４】
さて、図４（ａ）図において、この実施例に係る収納ケース５０では、刷毛や布巾などを介してトレー部７１にごみや水滴を集めることができる。このごみや水滴が納められたキャップ部７０を取り外す際には、（ａ）図から（ｂ）図に示すように、手掛け部７２を上方に引き上げる操作でキャップ部７０を取り外すことができる。この操作により、キャップ部７０は、嵌合部７３を回転中心にして回転するので、手掛け部７２側の嵌合を外した後、嵌合部７３側の嵌合を外して、（ｃ）図に示すように、キャップ部７０を収納ケース５０から取り外すことができる。取り外したキャップ部７０は、（ｄ）（ｅ）図に示すように、その大きさが小さいため、ごみや水滴を簡単に捨てることができるとともに、水道などで洗浄することができる。
【００３５】
ここで、この実施例では、手掛け部７２をトレー部７１側に張り出して形成しているので、手のひらを収納ケース５０の壁面側に向けた順手で手掛け部７２を引き上げることができるので、力が入りやすく、使い勝手を向上することができる。一方、手掛け部７２を対向する側に設けると、手掛け部７２を引き上げる手は逆手となるので、力が入りにくく、また、逆手は手掛け部７２を保持しにくいので、引き上げる勢いで、せっかく集めたごみをこぼしてしまう課題もある。
【００３６】
また、手掛け部７２を、縁部７４の外周側に飛び出して設ければ、収納ケース５０の中央側に手掛け部７２を設けても順手で操作することができる。しかし、この構造では、手掛け部７２を底面部５２から飛び出して形成しなければならない。また、手掛け部７２を底面部５２に埋め込んで形成する構造でもよいが、今度は、底面部５２に埋め込む構造を形成しなければならないし、埋め込めば手掛け部７２を引き上げにくくなる。
【００３７】
しかし、この実施例に係る手掛け部７２によれば、前記課題も解決することができるし、構造的にも使い勝手からも良好である。
【００３８】
さて、キャップ部７０を開口部５３に装着する際には、凹み部５４と嵌合部７３とを嵌合して位置合わせを行って、手掛け部７２の部分を下方に押し込めば元の（ａ）図の状態に簡単に戻すことができる。
（第２実施例）
次に、図５を参照して、第２実施例に係る収納ケース５０ｂを説明する。ここで、図５は、第２実施例に係る収納ケース５０ｂの外観図であり、（ａ）図は平面図、（ｂ）図が右側面図、（ｃ）図が正面図、（ｄ）図が立て断面図、（ｅ）図がキャップ７０ｂを取り外した状態の収納ケース５０ｂの平面図、（ｆ）図がキャップ７０ｂの外観図である。なお、左側面図は（ｂ）図と対称であり、背面図や底面図は、他の図から明らかなため省略している。なお、第１実施例と同様な点は説明を省略する。
【００３９】
図５において、この第２実施例の収納ケース５０ｂは、収納ケース５０ｂの底面部５２の手前側に左右１対のトレー部７１を備えたキャップ部７０ｂを備えた点にある。
【００４０】
即ち、この実施例では、収納ケース５０ｂの底面部５２の手前側に凹部８０を形成し、この凹部８０の両側に左右に分かれた一対の開口部５３を形成している。そして、キャップ部７０は、前記凹部８０に収まる大きさを備え、その両側に前記一対の開口部５３に嵌合する凹状のトレー部７１を備えている。ここで、キャップ部７０の周囲は、第１実施例と同様に、周囲に張り出した縁部７４が形成され、この縁部７４の肉厚は凹部８０の段差と一致させている。
【００４１】
この実施例の構造の特徴は、一対の開口部５３の間に橋部５６を残すことで、収納ケース５０の強度を維持させた点にある。そして、この実施例によれば、トレー部７１に、それぞれ設けられる手掛け部７２を介して、両手で着脱を行うことができる。
（第３実施例）
次に、図６を参照して、第３実施例を説明する。ここで、図６は、第３実施例に係る収納ケース５０ｃの縦断面図を示している。この第３実施例に係る収納ケース５０ｃの特徴は、キャップ部７０から構造の収納ケース５０ｃの底面部５２を、後方に行くにしたがって立ち上がる傾斜面とした点にある。この構造によれば、収納ケース５０ｃ内に散乱した水滴などが、傾斜面により手前側のトレー部７１に集め易くすることができる。
（第４実施例）
次に、図７を参照して第４実施例を説明する。ここで、図７は、第４実施例に係る収納ケース５０ｄの縦断面図を示している。この第４実施例は、下部収納ケース８５と上部収納ケース８６から構成される上下２段の構造を備えた収納ケース５０ｄに適用したものである。この実施例では、上部収納ケース８６は下部収納ケース８５の縁部５１に支持されて、前後方向（図面中の左右方向）に移動させることができる。ここで、上部収納ケース８６は、前方にトレー部７１の上部収納空間が形成されるように、下部収納ケース８５の後方に設けられている。
【００４２】
この収納ケース５０ｄは、引出扉４を閉めた状態では、図７の状態で収納され、引出扉４を引き出した状態では、図７の状態で引き出されるので、トレー部７１のボトル類や上部収納ケース８６内の食品を出し入れすることができるとともに、この状態から、上部収納ケース８６を後方（図面右側）に移動させることにより、下部収納ケース８５からの食品を出し入れすることができる。
【００４３】
この実施例では、下部収納ケース８５の底面前部に、前記した実施例と同様なキャップ部７０を着脱可能に設ければ、同様な作用効果をえることができる。
【符号の説明】
【００４４】
１…冷蔵庫、２…冷蔵庫筺体、３…開放部、４…引出扉、５…開閉扉、６…収納部、７…引出機構部、５０…収納ケース、５１…縁部、５２…底面部、５３…開口部、５４…凹み部、５５…傾斜面、５６…橋部、７０…キャップ部、７１…トレー部、７２…手掛け部、７３…嵌合部、７４…縁部、７５…パッキン、８０…凹部、
【図１】
2011185463.tif 000003
【図２】
2011185463.tif 000004
【図３】
2011185463.tif 000005
【図４】
2011185463.tif 000006
【図５】
2011185463.tif 000007
【図６】
2011185463.tif 000008
【図７】
2011185463.tif 000009